(57)【特許請求の範囲】
【請求項１】
無線受信器を動作させる方法であって、
ＲＦ信号を受信することと、
アナログ中間信号を得るために、１つ以上のアナログ回路を用いて前記ＲＦ信号に作用することと、
デジタル信号を得るために、アナログ−デジタル変換（ＡＤＣ）回路を用いて前記アナログ中間信号をサンプリングすることと、
前記受信器が満たすべき信号処理の忠実性のレベルを判定するために、前記ＲＦ信号、又は前記アナログ中間信号、又は前記デジタル信号を解析することと、
信号処理の忠実性の前記判定されたレベルに基づいて、前記受信器の設定を変更することと、
を含み、
前記変更は、前記１つ以上のアナログ回路によって生じたアナログ領域の歪みを補正するように、前記無線受信器に備えられた１つ以上のデジタル回路に前記デジタル信号を処理させることを含む、
ことを特徴とする方法。
【請求項２】
前記ＲＦ信号は、サービング基地局が送信した第１の信号と１つ以上の干渉信号とを含み、前記第１の信号は前記無線受信器による受信のための情報を含み、前記解析および前記変更は、前記ＲＦ信号が受信されている間に動的に実行される、
ことを特徴とする請求項１に記載の方法。
【請求項３】
前記解析および前記変更は、ＲＦ信号環境における動的な変化に対応するために、連続して若しくは繰り返し、又は連続かつ繰り返して実行される、
ことを特徴とする請求項１に記載の方法。
【請求項４】
前記変更は、前記１つ以上のアナログ回路の少なくとも１つの線形性の範囲を調整することをさらに含む、
ことを特徴とする請求項１に記載の方法。
【請求項５】
前記変更は、前記１つ以上のアナログ回路の少なくとも１つの非線形性の尺度を低減することをさらに含む、
ことを特徴とする請求項１に記載の方法。
【請求項６】
前記処理させることは、
前記デジタル信号から前記１つ以上のアナログ回路に起因するＩＱミスマッチを取り除くことと、
共通の位相誤差推定及び訂正アルゴリズムを用いて前記デジタル信号に存在する位相雑音を取り除くことと、
自動周波数制御（ＡＦＣ）ループを起動することによって、前記デジタル信号に存在する位相雑音を少なくとも部分的に取り除くことと、
時間方向で繰り返しチャネル推定を実行して前記チャネル推定の漸進的変化を追跡することによって、前記デジタル信号に存在する位相雑音を少なくとも部分的に取り除くことと、
適応キャリア間干渉（ＩＣＩ）除去アルゴリズムを用いて前記デジタル信号における位相雑音の高周波数成分を取り除くことと、
前記デジタル信号に存在する送信器の漏れを取り除くことと、
前記デジタル信号から二次相互変調歪み（ＩＭＤ２）を取り除くことと、
前記デジタル信号から三次相互変調歪み（ＩＭＤ３）を取り除くことと、
のうちの１つ以上を含む、
ことを特徴とする請求項１に記載の方法。
【請求項７】
前記受信器の設定の前記変更は、さらに、前記１つ以上のアナログ回路の前に前記ＲＦ信号から送信器の漏れを取り除くように構成されるアナログ前置補償回路を起動することを含む、
ことを特徴とする請求項１に記載の方法。
【請求項８】
前記変更は、
アナログフィルタのポールの数を調整することと、
前記アナログフィルタのダイナミックレンジを調整することと、
前記アナログフィルタのクリッピング又は圧縮の範囲を調整することと、
より低い供給電力で前記アナログフィルタを動作させることと、
前記アナログフィルタの通過帯域の帯域幅を調整することと、
前記アナログフィルタの伝達関数の中心周波数を調整することと、
のうちの１つ以上を含む、
ことを特徴とする請求項１に記載の方法。
【請求項９】
前記解析は、前記ＲＦ信号の無線スペクトルを解析することを含み、
前記変更は、（ａ）前記無線スペクトルの前記解析の結果と、（ｂ）前記受信器が満たすべき信号処理の忠実性の前記判定されたレベルと、に基づいて、アナログフィルタの線形性の範囲を動的に調整することを含む、
ことを特徴とする請求項１に記載の方法。
【請求項１０】
前記解析は、前記ＲＦ信号における干渉電力と、前記ＲＦ信号における受信信号の帯域幅とを判定し、前記受信器の前記設定の前記変更は、（ａ）判定された前記干渉電力と、（ｂ）判定された前記帯域幅と、（ｃ）前記受信器が満たすべき信号処理の忠実性の前記判定されたレベルと、に基づく、
ことを特徴とする請求項１に記載の方法。
【請求項１１】
前記受信器の前記設定の前記変更は、前記ＡＤＣ回路の１つ以上の性能パラメータを調整することを含む、
ことを特徴とする請求項１０に記載の方法。
【請求項１２】
前記解析は、
（ａ）前記ＲＦ信号の帯域内（ＩＢ）スペクトルの電力と帯域外（ＯＯＢ）スペクトルの電力とを判定することと、
（ｂ）前記受信器における送信の漏れの電力を判定することと、
（ｃ）前記ＲＦ信号の遠隔の送信器によって当該ＲＦ信号に埋め込まれたメッセージであって、信号処理の忠実性の前記レベルを示す、前記ＲＦ信号において符号化されたメッセージを復元することと、
（ｄ）前記ＲＦ信号の一部から現在の変調及び符号化方式（ＭＣＳ）又は変調次数のインジケータを復元することと、
（ｅ）１つ以上の隣接チャネルの電力を測定することと、
（ｆ）前記ＲＦ信号において前記受信器に割り当てられたリソースブロックの数又は帯域幅を判定することと、
（ｇ）前記ＲＦ信号におけるブロッカーの電力レベルを判定することと、
（ｈ）前記ＲＦ信号の周波数帯域内の前記受信器に割り当てられた１つ以上のリソースブロックの位置を判定することと、
（ｉ）前記ＲＦ信号は複数の受信器アンテナにそれぞれ対応する複数の信号要素を含んだベクトル信号である前記ＲＦ信号において、運ばれる空間ストリームの数を判定することと、
（ｊ）前記ＲＦ信号に対する現在の変調方式及び現在の空間ストリームの数に基づいて、動作中のＳＮＲを判定することと、
のうちの１つ以上を含む、
ことを特徴とする請求項１に記載の方法。
【請求項１３】
前記変更は、干渉を受信するレベルが増えたと判定したことに応じて、アナログ除去回路を起動することを含み、前記アナログ除去回路は、少なくとも１つの前記アナログ回路の非線形性により生じる歪みを等化する、
ことを特徴とする請求項１に記載の方法。
【請求項１４】
ユーザ端末（ＵＥ）機器であって、
１つ以上のアンテナと、
前記１つ以上のアンテナに接続された受信器と、を有し、
前記受信器は、
前記１つ以上のアンテナを介してＲＦ信号を受信し、
アナログ中間信号を得るために１つ以上のアナログ回路を用いて前記ＲＦ信号に作用し、
デジタル信号を得るために、アナログ−デジタル変換（ＡＤＣ）回路を用いて前記アナログ中間信号をサンプリングし、
前記受信器が満たすべき信号処理の忠実性のレベルを判定するために、前記ＲＦ信号、又は前記アナログ中間信号、又は前記デジタル信号を解析し、
信号処理の忠実性の前記判定されたレベルに基づいて、前記受信器の設定を変更する、
ように構成され、
前記変更は、前記１つ以上のアナログ回路によって生じたアナログ領域の歪みを補正するように、前記受信器に備えられた１つ以上のデジタル回路に前記デジタル信号を処理させることを含む、
ことを特徴とするユーザ端末機器。
【請求項１５】
前記解析および前記変更は、ＲＦ信号環境における動的な変化に対応するために、連続して若しくは繰り返し、又は連続かつ繰り返して実行される、
ことを特徴とする請求項１４に記載のユーザ端末機器。
【請求項１６】
前記変更は、前記１つ以上のアナログ回路のうちの少なくとも１つの線形性の範囲の調整を含む、
ことを特徴とする請求項１４に記載のユーザ端末機器。
【請求項１７】
無線送信器を動作させるための方法であって、
デジタル−アナログ変換（ＤＡＣ）回路を用いてデジタル信号をアナログ中間信号へ変換することと、
１つ以上のアナログ回路を用いて前記アナログ中間信号に基づいてＲＦ信号を生成することと、
前記送信器が現在満たすべき信号処理の忠実性のレベルに基づいて、前記送信器の設定を変更することと、
を含み、
前記変更は、１つ以上のデジタル回路が前記１つ以上のアナログ回路によって生じることとなる歪みについての前置補正をするように、前記変換の前に前記デジタル信号に作用するように、前記１つ以上のデジタル回路の設定を変更することを含む、
ことを特徴とする方法。
【請求項１８】
前記変更は、前記１つ以上のアナログ回路のうちの少なくとも１つの線形性の範囲を調整することを含む、
ことを特徴とする請求項１７に記載の方法。
【請求項１９】
前記変更は、前記１つ以上のアナログ回路のうちの少なくとも１つについて、エラーベクトル振幅（ＥＶＭ）に対する第１の制約と帯域外（ＯＯＢ）輻射に対する第２の制約との少なくともいずれかを達成するように実行され、前記第１の制約と前記第２の制約は、変調及び符号化方式（ＭＣＳ）の選択されたレベルによって定まる、
ことを特徴とする請求項１７に記載の方法。
【請求項２０】
前記デジタル信号の前記変更は、
前記１つ以上のアナログ回路によって生じることとなるＩＱミスマッチに対して前記デジタル信号を前置補正することと、
前記１つ以上のアナログ回路によって生じることとなる位相雑音に対して前記デジタル信号を前置補正することと、
前記１つ以上のアナログ回路によって生じることとなる送信器の漏れに対して前記デジタル信号を前置補正することと、
前記１つ以上のアナログ回路によって生じることとなる送信機の非線形性歪みに対して前記デジタル信号を前置補正することと、
のうちの１つ以上を含む、
ことを特徴とする請求項１７に記載の方法。
【発明の詳細な説明】
【技術分野】
【０００１】
本願は、無線通信に関し、より具体的には、ユーザ機器の受信器と送信器との少なくともいずれかによって提供される信号処理の忠実性（fidelity）の範囲を動的に制御することにより、ユーザ機器における平均電力消費を低減するための機構に関する。
【背景技術】
【０００２】
下りリンク伝送を受信するためにユーザ端末（ＵＥ）機器によって用いられる無線受信器は、その振る舞いにおいて完全には線形又は理想的でない回路を含む。無線通信標準は、その回路によって実行される信号処理の忠実性に対する要求を負わせうる。しかしながら、それらの要求は、通常、例えば最悪の場合の干渉環境である、最悪の場合のシナリオに基づいている。したがって、ＵＥ機器は、多くの場合に最悪のシナリオより大幅に良好な環境において動作している可能性がある。受信器が忠実性の要求に常に合致する回路を用いて設計されているならば、回路は、ＵＥ機器のバッテリ寿命を制限する高い電力消費、及びシステムコストを増大させる高い複雑性を有しうる（高い忠実性は、電力消費の観点から高価である。）。したがって、受信器の様々な回路要素に要求される（若しくはそれによって供給される、又はその両方である）信号処理の忠実性の範囲を調整する能力を有するＵＥ機器に対する必要性が存在する。
【発明の概要】
【発明が解決しようとする課題】
【０００３】
同様に、上りリンク信号を送信するためにＵＥ機器によって使用される無線送信器は、その振る舞いにおいて完全には線形又は理想的でない回路を含む。したがって、送信器の様々な回路要素に要求される（若しくはそれによって供給される、又はその両方である）信号処理の忠実性の範囲を調整する能力を有するＵＥ機器に対する必要性が存在する。
【課題を解決するための手段】
【０００４】
一連の実施形態において、ＵＥ機器の無線受信器は、受信器の平均電力消費を減少させるために、以下のように構成されうる。
【０００５】
受信器は、１つ以上のアンテナを用いて無線伝送媒体からＲＦ信号を受信しうる。受信器は、アナログ中間信号を取得するための１つ以上のアナログ回路を用いてＲＦ信号に作用しうる。アナログ中間信号は、デジタル信号を得るために、アナログ−デジタル変換（ＡＤＣ）回路を用いてサンプリングされる。受信器は、受信機が満たすべき信号処理の忠実性のレベルを判定するために、ＲＦ信号又はアナログ中間信号若しくはデジタル信号を解析しうる。例えば、解析された信号が干渉を受けていない場合、信号処理の忠実性のレベルは緩和されうる。コントローラ（例えばデジタルプロセッサ）は、信号処理の忠実性の判定されたレベルに基づいて、受信器の設定を変更しうる。受信器設定を変更する動作は、１つ以上のアナログ回路のうちの少なくとも１つのアナログ処理の忠実性のレベルの調整と、１つ以上のアナログ回路によって生じるアナログ領域の歪みを補正するための、１つ以上のデジタル回路を用いたデジタル信号の処理と、のうちの１つ以上を含みうる。
【０００６】
解析動作と変更動作は、ＲＦ信号が受信されている間に、動的に実行されうる。１つの実施形態において、解析動作及び変更動作は、ＲＦ信号環境の動的な変化に対応するために、連続して若しくは繰り返し、又は連続かつ繰り返して、実行される。
【０００７】
一連の実施形態において、送信器の平均電力消費を減らすために、無線送信器は、以下のように運用されうる。
【０００８】
送信機は、デジタル−アナログ変換（ＤＡＣ）回路を用いて、デジタル信号をアナログ中間信号へ変換しうる。送信器は、１つ以上のアナログ回路、例えばミキサ、フィルタ及び増幅器などのアナログ回路を用いて、アナログ中間信号に基づいて、ＲＦ信号を生成しうる。コントローラ（例えば、デジタルコントローラ）は、送信器が現在満たすべき信号処理の忠実性のレベルに基づいて、送信器の設定を変更しうる。送信器設定の変更の動作は、１つ以上のアナログ回路のうちの少なくとも１つのアナログ処理の忠実性のレベルを調整することと、１つ以上のデジタル回路が、１つ以上のアナログ回路によって生じることとなる歪みに対する前置補正をするためにデジタル信号に作用するように、１つ以上のデジタル回路の設定を変更することと、のうちの１つ以上を含んでもよく、デジタル信号への作用は、変換より前に行われる。
【０００９】
なお、ここで説明される技術は、基地局、アクセスポイント、携帯電話、ポータブルメディアプレイヤ、タブレットコンピュータ、（スマートウォッチなどの）ウェアラブル機器及び様々な他のコンピューティング機器を含むがそれに限定されない多くの様々な種類の機器において実装され、若しくは、当該機器と共に用いられ、又は当該機器において実装されると共に当該機器と共に用いられうる。
【００１０】
この概要は、本書面において説明される一部の主題の概要を提供することが意図されている。したがって、上述の特徴は単なる例であり、ここで説明される主題の範囲又は精神をいかなる方法においても狭めるように解釈されるべきでないことが理解されるだろう。ここで説明される主題の他の特徴、態様及び利点は、以下の詳細な説明、図面及び特許請求の範囲から明らかになるだろう。
【００１１】
以下の図面と併せて以下の実施形態の詳細な説明を検討するときに、提示される主題のより良い理解を得ることができる。
【図面の簡単な説明】
【００１２】
【図１】いくつかの実施形態による例示の無線通信システムを示す図。
【図２】いくつかの実施形態による、無線機器と通信する基地局（「ＢＳ」、又はＬＴＥの文脈では「ｅＮｏｄｅＢ」若しくは「ｅＮＢ」）を示す図。
【図３】いくつかの実施形態による、無線ユーザ端末（ＵＥ）機器の例を示す図。
【図４】いくつかの実施形態による、基地局の例を示す図。
【図５】いくつかの実施形態による、受信器５００の実施形態の例を示す図。
【図６】いくつかの実施形態による、ＲＦ非線形性要求の測定の例を示す図。
【図７Ａ】いくつかの実施形態による、シングルエンドの一次アナログフィルタの例を示す図。
【図７Ｂ】いくつかの実施形態による、トランスコンダクタ回路の例を示す図。
【図８】いくつかの実施形態による、送受信器８００の例を示す図。
【図９】いくつかの実施形態による、受信器を動作させるための方法を示す図。
【図１０】いくつかの実施形態による、送信器を動作させるための方法を示す図。
【発明を実施するための形態】
【００１３】
ここで説明される特徴は、様々な変更及び代替形式の影響を受けやすいが、その特定の実施形態が、図における例を介して示され、ここで詳細に説明されている。しかしながら、図面及びそれに対する詳細な説明は、開示された特定の形式に限定することを意図したものではなく、それどころか、添付の特許請求の範囲によって定まるような主題の精神及び範囲内の全ての変更、均等物及び代替物をカバーすることが意図されていることが理解されるべきである。
【００１４】
頭字語
様々な頭字語が本開示を通じて用いられる。本開示を通じて出現しうる最も顕著に用いられる頭字語の定義を以下に与える。
【００１５】
ＡＧＣ：自動利得制御
【００１６】
ＢＳ：基地局
【００１７】
ＤＬ：下りリンク
【００１８】
ＦＤＭＡ：周波数分割多元接続
【００１９】
ＬＴＥ：ロングタームエボリューション
【００２０】
ＭＳ：移動局
【００２１】
ＮＷ：ネットワーク
【００２２】
ＯＦＤＭ：直交周波数分割多重
【００２３】
ＯＦＤＭＡ：直交周波数分割多元接続
【００２４】
ＰＤＣＣＨ：物理下りリンク制御チャネル
【００２５】
ＰＤＳＣＨ：物理下りリンク共有チャネル
【００２６】
ＲＡＴ：無線アクセス技術
【００２７】
ＲＲＣ：無線リソース制御
【００２８】
ＲＲＣ  ＩＥ：ＲＲＣ情報要素
【００２９】
ＲＸ：受信
【００３０】
ＳＣ−ＦＤＭＡ：シングルキャリアＦＤＭＡ
【００３１】
ＴＸ：送信
【００３２】
ＵＥ：ユーザ端末
【００３３】
ＵＬ：上りリンク
【００３４】
ＵＭＴＳ：ユニバーサル移動体通信システム
【００３５】
３ＧＰＰ：第３世代パートナーシッププロジェクト
【００３６】
用語
以下は、本開示で用いられる用語集である。
【００３７】
メモリ媒体−任意の様々な種類の非一時的メモリ機器又はストレージ機器。用語「メモリ媒体」には、例えば、ＣＤ−ＲＯＭ、フロッピー（登録商標）ディスク、又はテープ機器である設定媒体、ＤＲＡＭ、ＤＤＲ  ＲＡＭ、ＳＲＡＭ、ＥＤＯ  ＲＡＭ、Ｒａｍｂｕｓ  ＲＡＭなどのコンピュータシステムメモリ又はランダムアクセスメモリ、例えばハードドライブ又は光学記憶装置であるフラッシュ、磁気メディアなどの不揮発性メモリ、レジスタ、又は他の同様の種類のメモリ要素などを含むことが意図されている。メモリ媒体は、同様に他の種類の非一時的メモリ、又はその組み合わせを含みうる。さらに、メモリ媒体は、プログラムが実行される第１のコンピュータシステムに配置されてもよいし、第１のコンピュータシステムにインターネットなどのネットワークを介して接続する第２の異なるコンピュータシステムに配置されてもよい。後の例では、第２のコンピュータシステムは、実行のために、第１のコンピュータにプログラム命令を提供してもよい。用語「メモリ媒体」は、異なる位置に、例えばネットワークを介して接続される異なるコンピュータシステムに、存在し得る、２つ以上のメモリ媒体を含みうる。メモリ媒体は、１つ以上のプロセッサによって実行されうる、（例えば、コンピュータプログラムとして具現化される）プログラム命令を記憶し得る。
【００３８】
搬送媒体−上述のようなメモリ媒体、及び、電気、電磁又はデジタル信号などの信号を運ぶ、バス、ネットワーク、又は他の物理伝送媒体の少なくともいずれかなどの物理伝送媒体。
【００３９】
プログラム可能なハードウェア要素−プログラム可能なインターコネクトを介して接続された複数のプログラム可能な機能ブロックを有する様々なハードウェア機器を含む。例として、ＦＰＧＡ（フィールドプログラマブルゲートアレイ）、ＰＬＤ（プログラマブル論理機器）、ＦＰＯＡ（フィールドプログラマブルオブジェクトアレイ）、およびＣＰＬＤ（コンプレックスＰＬＤ）を含む。プログラム可能な機能ブロックは、きめの細かいもの（連結ロジック又はルックアップテーブル）から、きめの粗いもの（算術ロジックユニット又はプロセッサコア）までに及びうる。プログラム可能なハードウェア要素は、「リコンフィギュアラブルロジック」とも呼ばれうる。
【００４０】
コンピュータシステム−パーソナルコンピュータシステム（ＰＣ）、メインフレームコンピュータシステム、ワークステーション、ネットワーク装置、インターネット装置、パーソナルデジタルアシスタント（ＰＤＡ）、テレビジョンシステム、グリッドコンピューティングシステム、又は他の機器又は複数の機器の組み合わせを含む、任意の様々な種類の演算又は処理システム。一般に、用語「コンピュータシステム」は、メモリ媒体から命令を実行する少なくとも１つのプロセッサを有する任意の機器（又は複数の機器の組み合わせ）を包含するように、広く定義することができる。
【００４１】
ユーザ端末（ＵＥ）（又は「ＵＥ機器」）−モバイル又はポータブルであり、無線通信を実行する任意の様々な種類のコンピュータシステム機器。ＵＥ機器の例は、携帯電話又はスマートフォン（例えばｉＰｈｏｎｅ（登録商標）、Ａｎｄｒｏｉｄ（登録商標）ベースの電話）、ポータブルゲーム機器（例えば、Ｎｉｎｔｅｎｄｏ  ＤＳ（登録商標）、ＰｌａｙＳｔａｔｉｏｎ  Ｐｏｒｔａｂｌｅ（登録商標）、ゲームボーイアドバンス（登録商標）、ｉＰｈｏｎｅ（登録商標））、ラップトップ、ＰＤＡ、ポータブルインターネット機器、音楽プレイヤ、データ記憶機器、他のハンドヘルドの機器、ウェアラブル機器などを含む。一般に、用語「ＵＥ」又は「ＵＥ機器」は、ユーザによって容易に運ばれ、無線通信することができる、電気、コンピューティング又は電気通信の少なくともいずれかの任意の機器（又は機器の組み合わせ）を包含するように広く定義することができる。
【００４２】
基地局−用語「基地局」は、その通常の意味の全てを有し、少なくとも、固定位置に設置され、無線電話システム又は無線システムの一部として通信するのに使用される無線通信局を含む。
【００４３】
処理エレメント−様々なエレメント又は複数のエレメントの組み合わせのことを呼ぶ。処理エレメントは、例えば、ＡＳＩＣ（特定用途向け集積回路）などの回路、個別のプロセッサコアの一部又は回路、プロセッサコアの全体、個別のプロセッサ、フィールドプログラマブルゲートアレイ（ＦＰＧＡ）などのプログラム可能なハードウェア機器、又は複数のプロセッサを含むシステムの大きな部分の少なくともいずれかを含む。
【００４４】
チャネル−送り手（送信器）から受信器へ情報を運ぶために用いられる媒体。用語「チャネル」の特性は様々な無線プロトコルによって異なりうるため、ここで用いられる用語「チャネル」は、本用語が用いられる際に参照される機器の種類の標準と調和する方法で用いられていると見做されうることに留意すべきである。いくつかの標準では、チャネル幅は（例えば機器の能力、帯域状態などに応じて）変化しうる。例えば、ＬＴＥは、１．４ＭＨｚから２０ＭＨｚまでのスケーラブルなチャネル幅をサポートしうる。これに対して、ＷＬＡＮチャネルは、２２ＭＨｚでありえ、一方でＢｌｕｅｔｏｏｔｈ（登録商標）チャネルは１ＭＨｚ幅でありうる。他のプロトコル及び標準は、チャネルの異なる定義を含みうる。さらに、いくつかの標準は、上りリンク若しくは下りリンクのための異なるチャネルと、データ、制御情報などの様々な使用に対しての異なるチャネルと、の少なくともいずれかなどの、複数の種類のチャネルを定義し、使用しうる。
【００４５】
帯域−用語「帯域」は、その通常の意味の全幅を有し、同じ目的のためにチャネルが用いられ、又は設けられるスペクトル（例えば無線周波数スペクトル）の一部を少なくとも含む。
【００４６】
自動的−コンピュータシステム（例えば、コンピュータシステムによって実行されるソフトウェア）又は機器（例えば、回路、プログラム可能なハードウェア要素、ＡＳＩＣなど）によって、動作又は操作を直接特定し又は実行するユーザ入力なしに実行される、当該動作又は操作を指す。したがって、用語「自動的」は、ユーザが操作を直接実行するように入力を供給する、ユーザによって手動で実行され又は特定される操作と対照的である。自動手順はユーザによって供給される入力によって開始されてもよいが、「自動的」に実行されるその後の動作は、そのユーザによって特定されない、すなわち、ユーザが実行すべき各動作を特定する「手動」では実行されない。例えば、コンピュータシステムはユーザ動作に応じてフォームを更新しなければならないが、（例えば情報をタイピングすることにより、チェックボックスを選択することにより、無線器選択などにより）各フィールドを選択し情報を特定する入力を供給することにより電子フォームに書き入れるユーザは、手動でそのフォームに書き入れる。そのフォームは、コンピュータシステムによって自動的に書き入れられてもよく、そこでは、そのコンピュータシステム（例えば、コンピュータシステム上で実行するソフトウェア）は、フォームのフィールドを解析し、そのフィールドに対する回答を特定するいかなるユーザ入力もなく、そのフォームを埋める。上記のように、ユーザは、そのフォームの自動記入を起動し得るが、そのフォームの実際の記入には関与しない（例えば、ユーザはフィールドに対する回答を手動で特定せず、むしろ、それらは自動的に完遂される）。本明細書は、ユーザが取った動作に応じて自動的に実行される様々な動作の例を提供する。
【００４７】
図１−無線通信システム
図１は、いくつかの実施形態による無線通信システムを示している。なお、図１は、多くのうちの１つの可能性を示しており、本開示の特徴は、要求に応じて、様々なシステムのいずれかにおいて実装されうる。
【００４８】
図のように、例示の無線通信システムは、１つ以上の無線機器１０６Ａ、１０６Ｂ等〜１０６Ｎと、伝送媒体を介して通信する、基地局１０２Ａを含む。無線機器は、ここで「ユーザ端末」（ＵＥ）又はＵＥ機器と呼ばれうるユーザ機器でありうる。
【００４９】
基地局１０２は、基地局送受信器（ＢＴＳ）又はセルサイトであってもよく、ＵＥ機器１０６Ａ〜１０６Ｎとの無線通信を可能とするハードウェアを含みうる。また、基地局１０２は、ネットワーク１００（例えば、様々な可能性のうち公衆交換電話網（ＰＳＴＮ）とインターネットとの少なくともいずれかなどの、セルラサービスプロバイダのコアネットワーク、電気通信ネットワーク）と通信するための設備を有しうる。このように、基地局１０２は、ＵＥ機器１０６間とＵＥ機器１０６とネットワーク１００との間との少なくともいずれかにおける通信を促進しうる。
【００５０】
基地局１０２の通信エリア（又はカバレッジエリア）は、「セル」と呼ばれうる。基地局１０２及びＵＥ１０６は、ＧＳＭ（登録商標）、ＵＭＴＳ（ＷＣＤＭＡ（登録商標）、ＴＤＳ−ＣＤＭＡ）、ＬＴＥ、ＬＴＥアドバンスド（ＬＴＥ−Ａ）、ＨＳＰＡ、３ＧＰＰ２  ＣＤＭＡ２０００（例えば１ｘＲＴＴ、１ｘＥＶ−ＤＯ、ＨＲＰＤ、ｅＨＲＰＤ）、Ｗｉ−Ｆｉ、ＷｉＭＡＸなどのような様々な無線アクセス技術（ＲＡＴ）又は無線通信技術のいずれかを用いた伝送媒体を介して通信するように構成されうる。
【００５１】
したがって、１つ以上のセルラ通信技術に従って動作する基地局１０２及び他の同様の基地局（不図示）は、１つ以上のセルラ通信技術を介して、広範な地理的領域にわたって、ＵＥ機器１０６Ａ〜Ｎ及び同様の機器へ連続して又はほぼ連続して、重畳するサービスを提供しうるセルのネットワークとして、提供されうる。
【００５２】
したがって、基地局１０２が、現在、図１に示すように、無線機器１０６Ａ〜Ｎのための「サービングセル」に相当する間、各ＵＥ機器１０６は、例えば他の基地局によって提供される（「隣接セル」と呼ばれうる）１つ以上の他のセルから信号を受信することも可能でありうる。このようなセルは、ユーザ機器間とユーザ機器及びネットワーク１００間との少なくともいずれかの通信を促進することが可能でありうる。
【００５３】
なお、少なくともいくつかの例において、ＵＥ機器１０６は、２つ以上の無線通信技術を用いて通信することが可能でありうる。例えば、ＵＥ機器１０６は、ＧＳＭ、ＵＭＴＳ、ＣＤＭＡ２０００、ＷｉＭＡＸ、ＬＴＥ、ＬＴＥ−Ａ、ＷＬＡＮ、Ｂｌｕｅｔｏｏｔｈ、１つ以上の全地球ナビゲーション衛星システム（ＧＮＳＳ、例えばＧＰＳ又はＧＬＯＮＡＳＳ）、１つか複数かの少なくともいずれかの移動体テレビ放送標準（例えばＡＴＳＣ−Ｍ／Ｈ又はＤＶＢ−Ｈ）などのうちの、２つ以上を用いて通信するように構成されうる。（２つより多くの無線通信技術を含む）無線通信技術の他の組み合わせも可能である。同様に、いくつかの例では、ＵＥ機器１０６は、単一の無線通信技術のみを用いて通信するように構成されてもよい。
【００５４】
図２は、いくつかの実施形態による、基地局１０２と通信するＵＥ機器１０６（例えば機器１０６Ａ〜１０６Ｎのうちの１つ）を示している。ＵＥ機器１０６は、セルラ通信能力を有することができ、上述のように、携帯電話、ハンドヘルド機器、メディアプレイヤ、コンピュータ、ラップトップ若しくはタブレット、（スマートウォッチ又はスマートグラスなどの）ウェアラブル機器、又はほぼ任意の種類の無線機器などの機器でありうる。
【００５５】
ＵＥ機器１０６は、メモリに記憶されたプログラム命令を実行するように構成されたプロセッサを含みうる。ＵＥ機器１０６は、そのような記憶された命令を実行することにより、ここで説明される方法の実施形態のいずれかを実行しうる。代わりに、又は追加して、ＵＥ機器１０６は、ここで説明される方法の実施形態のいずれか、又はここで説明される方法の実施形態のいずれかの任意の部分を実行するように構成された、ＦＰＧＡ（フィールドプログラマブルゲートアレイ）などのプログラム可能なハードウェア要素を含みうる。
【００５６】
いくつかの実施形態において、ＵＥ機器１０６は、複数の無線アクセス技術と無線通信プロトコルとの少なくともいずれかのうちの任意のものを用いて通信するように構成されうる。例えば、ＵＥ機器１０６は、ＧＳＭ、ＵＭＴＳ、ＣＤＭＡ２０００、ＬＴＥ、ＬＴＥ−Ａ、ＷＬＡＮ、Ｗｉ−Ｆｉ、ＷｉＭＡＸ又はＧＮＳＳのうちの１つ以上を用いて通信するように構成されうる。無線通信技術の他の組み合わせも可能である。
【００５７】
ＵＥ機器１０６は、１つ以上の無線通信プロトコル又は技術を用いて通信するための１つ以上のアンテナを含みうる。１つの実施形態において、ＵＥ機器１０６は、単一の共有無線器を用いて通信するように構成されうる。共有無線器は、無線通信を実行するために、単一のアンテナに接続されてもよいし、（例えばＭＩＭＯ動作のための）複数のアンテナに接続されてもよい。代わりに、ＵＥ機器１０６は、２つ以上の無線器を含んでもよい。例えば、ＵＥ１０６は、ＬＴＥ若しくは１ｘＲＴＴ（又はＬＴＥ若しくはＧＳＭ）のいずれかを用いて通信するための共有無線器とＷｉ−Ｆｉ及びＢｌｕｅｔｏｏｔｈのそれぞれを用いて通信するための別個の無線器とを含みうる。他の構成も可能である。
【００５８】
図３−ＵＥの例示のブロック図
図３は、いくつかの実施形態による、ＵＥ１０６のブロック図を示している。図のように、ＵＥ１０６は、様々な目的のための部分を含みうる、システムオンチップ（ＳＯＣ）３００を含みうる。例えば、図のように、ＳＯＣ３００は、ＵＥ１０６のためのプログラム命令を実行しうるプロセッサ３０２、及び、グラフィクス処理を実行し、ディスプレイ信号をディスプレイ３４０へ供給しうる表示回路３０４を含みうる。また、プロセッサ３０２は、プロセッサ３０２からアドレスを受け取ってそのアドレスをメモリ（例えばメモリ３０６、読み出し専用メモリ（ＲＯＭ）３５０、ＮＡＮＤフラッシュメモリ３１０）における位置へ変換しうるメモリ管理ユニット（ＭＭＵ）３４０に接続されうる。ＭＭＵ３４０は、メモリ保護及びページテーブル変換又は設定を実行するように構成されうる。いくつかの実施形態では、ＭＭＵ３４０は、プロセッサ３０２の一部として含まれうる。
【００５９】
また、ＵＥ１０６は、表示回路３０４、無線器３３０、コネクタＩ／Ｆ３２０、又はディスプレイ３４０のすくなくともいずれかなどの他の回路を含みうる。
【００６０】
示された実施形態では、ＲＯＭ３５０は、ブートアップ又は初期化の間にプロセッサ３０２によって実行されうる、ブートローダを含みうる。また、図のように、ＳＯＣ３００は、ＵＥ１０６の様々な他の回路に接続されうる。例えば、ＵＥ１０６は、（例えばＮＡＮＤフラッシュ３１０を含む）様々な種類のメモリ、（例えばコンピュータシステムに接続するための）コネクタインタフェース３２０、ディスプレイ３４０、及び（例えばＬＴＥ、ＣＤＭＡ２０００、Ｂｌｕｅｔｏｏｔｈ、ＷｉＦｉ、ＧＰＳなどを用いて通信するための）無線通信回路を含みうる。
【００６１】
ＵＥ機器１０６は、基地局と他の機器との少なくともいずれかと無線通信を実行するための、少なくとも１つのアンテナ、そしていくつかの実施形態では複数のアンテナを含みうる。例えば、ＵＥ機器１０６は、無線通信を実行するためのアンテナ３３５を用い得る。上述のように、ＵＥは、いくつかの実施形態において、複数の無線通信標準を用いて無線で通信するように構成されうる。
【００６２】
ここで説明するように、ＵＥ１０６は、ここで説明する実施形態による、無線器３３０（例えば、無線器３３０の受信器と送信器との少なくともいずれか）の信号処理の忠実性の範囲を動的に制御するためのハードウェアとソフトウェアとの少なくともいずれかのコンポーネントを含みうる。
【００６３】
ＵＥ機器１０６のプロセッサ３０２は、例えばメモリ媒体（例えば、非一時的コンピュータ可読メモリ媒体）に記憶されたプログラム命令を実行することによって、ここで説明される方法の一部または全部を実行するように構成されうる。他の実施形態では、プロセッサ３０２は、ＦＰＧＡ（フィールドプログラマブルゲートアレイ）とＡＳＩＣ（特定用途向け集積回路）との少なくともいずれかなどの、プログラム可能なハードウェア要素として構成されうる。
【００６４】
いくつかの実施形態では、ＵＥ１０６は、スマートウォッチ又はスマートグラスなどのスマート機器でありうる。しかしながら、ＵＥ１０６の他の具現化は広い範囲で可能であると共に予定されている。
【００６５】
図４−基地局
図４は、いくつかの実施形態による、基地局１０２の例を示している。なお、図４の基地局は、とり得る基地局の単なる１つの例である。図のように、基地局１０２は、基地局１０２のためのプログラム命令を実行しうるプロセッサ４０４を含みうる。また、プロセッサ４０４は、プロセッサ４０４からアドレスを受信してそれらのアドレスをメモリ（例えばメモリ４６０及び読み出し専用メモリ（ＲＯＭ）４５０）の位置に変換するように構成されうる、メモリ管理部（ＭＭＵ）４４０に、又は他の回路若しくは機器に、接続されうる。
【００６６】
基地局１０２は、少なくとも１つのネットワークポート４７０を含みうる。ネットワークポート４７０は、電話網に接続するように構成され、上述のように、ＵＥ機器１０６などの複数の機器に、その電話網への接続を提供しうる。
【００６７】
ネットワークポート４７０（又は追加のネットワークポート）は、さらに、又は代替的に、セルラネットワークに、例えばセルラサービスプロバイダのコアネットワークに、接続するように構成されうる。コアネットワークは、ＵＥ機器１０６などの複数の機器に、移動性に関するサービスと他のサービスとの少なくともいずれかを提供しうる。いくつかの場合、（例えばセルラサービスプロバイダによってサービスが供される他のＵＥ機器の間で）ネットワークポート４７０がコアネットワークを介して電話網に接続しうるか、コアネットワークが電話網を提供しうるか、の少なくともいずれかでありうる。
【００６８】
基地局１０２は、無線器４３０、通信チェーン４３２、及び少なくとも１つのアンテナ４３４を含みうる。基地局は、無線送受信器として動作するように構成されてもよく、無線器４３０、通信チェーン４３２及び少なくとも１つのアンテナ４３４を介して、ＵＥ機器１０６と通信するようにさらに構成されうる。通信チェーン４３２は、受信チェーン、送信チェーン、又はその両方でありうる。無線器４３０は、ＧＳＭ、ＵＭＴＳ、ＬＴＥ、ＷＣＤＭＡ、ＣＤＭＡ２０００、ＷｉＭＡＸなどを含むがこれらに限定されない様々なＲＡＴを介して、通信するように構成されうる。
【００６９】
基地局１０２のプロセッサ４０４は、例えば、メモリ媒体（例えば非一時的コンピュータ可読メモリ媒体）に記憶されたプログラム命令を実行することにより、ここで説明される方法の一部又は全部を実行するように構成されうる。代わりに、プロセッサ４０４は、ＦＰＧＡ（フィールドプログラマブルゲートアレイ）若しくはＡＳＩＣ（特定用途向け集積回路）、又はそれらの組み合わせなどのプログラム可能なハードウェア要素として、構成されうる。
【００７０】
電力消費を制御するための信号処理の忠実性の動的変化
最新の無線通信標準をサポートするように設計されたアナログ回路に対する忠実性の要求は、最悪の場合及び最も要求の厳しいシナリオに基づいて特定される。しかしながら、無線環境は動的であり、アナログ回路（例えば、ＲＦ回路又はアナログベースバンド回路）が最良の忠実性性能を供給する必要がある時間の割合は抑制されるだろう。動的基準によって又は要求に応じて、例えば、波形の複雑性、若しくは、無線媒体における干渉信号のエネルギーの量と不要信号のエネルギーとの少なくともいずれか、又はこれらの両方に基づいて、忠実性の要求を緩和すること（及び、いわゆる「ダーティなＲＦ」を許容すること）によって、大幅な省電力を達成することができる。無線環境の動的センシングを通じて、若しくは、様々なユースケースに基づいて、又は無線環境の動的センシングを通じると共に様々なユースケースに基づいて、性能の適合が実行されうる。送信モードと受信モードとの両方において省電力を達成することができる。
【００７１】
また、アナログ回路に対する忠実性の要求は、アナログの不完全性（例えば、ＲＦアナログの不完全性とベースバンドアナログの不完全性との少なくともいずれか）に起因する歪みを除去するためのデジタル信号処理（ＤＳＰ）技術を用いることにより緩和されうる。アナログの不完全性の影響をＤＳＰ技術によって低減可能である場合、より安価で電力の要求がより厳しくないＲＦパーツを、送信と受信とに用いることができる。
【００７２】
デジタル信号処理に加えて、必要に応じて受信と送信とのいずれかがなされた波形の忠実性を制御し（例えば減らすか増やすかの少なくともいずれかを行い）、平均消費電力を低減するために、ハイブリッドアナログ−デジタル手法を採用してもよい。送信波形は、送信器のアナログコンポーネントが理想的に振る舞う（例えば増幅器が完全に線形である）ならば送信されるだろう理想的な波形に厳密に一致する際には、高い忠実性を有すると言える。受信波形は、ＲＦ／アナログ及びデジタル処理が受信波形に歪みを引き起こさず、誤りの確率を最小化するときに、高い処理の忠実性を有すると言える。
【００７３】
とりわけ、センシング並びに推定、アナログ再構成、及び劣化／歪みの除去、の３つの機構がここで開示される。
【００７４】
信号処理の忠実性の現在必要とされているレベルの、センシングと推定との少なくともいずれかは、アナログ領域とデジタル領域との少なくともいずれかで実行されうる。これは、アナログ領域とデジタル領域との少なくともいずれかにおける電力スペクトル推定を含みうる。また、これは、（波形変調特性、ひいてはＲＦ及びＤＳＰ処理から要求される複雑性及び忠実性を推定するための）受信信号における制御チャネル要素の復調を含みうる。いくつかの実施形態では、ユーザ機器は、ＬＴＥの文脈で動作することができ、その場合、制御チャネルエレメント（ＣＣＥ）は下りリンクサブフレームのＰＤＣＣＨ（又はｅ−ＰＵＣＣＨ）に含まれうる。その一方で、他の実施形態では、ユーザ機器は、様々な他の無線通信標準のいずれかに従って動作してもよい。
【００７５】
アナログ領域の劣化と歪みとの少なくともいずれかの除去は、デジタル領域とアナログ領域との少なくともいずれかにおいて実行されうる。デジタル領域では、ＵＥ機器は、アナログの劣化と非線形性に起因する雑音と歪みとの少なくともいずれかを除去しうる。本除去は、アナログの劣化と非線形性が生じた後に行われうる。アナログ領域では、歪みの補償は、例えば干渉する信号を除去することにより、歪みが生成される前に実行されうる。
【００７６】
例えば、ある実施形態において、送信（Ｔｘ）漏れＲＦ波形は、例えば低電力増幅器（ＬＮＡ）の入力において、別の干渉源との相互変調の前に除去されうる（周波数分割複信を採用する実施形態では、ＵＥ機器の送信器は、受信器が受信を行っている間に送信を行いうる。しがたって、送信信号は、部分的に受信信号のパスに漏れうる。）。いくつかの実施形態では、受信器は、図５に示すように構成されうる。図５に示すブロックは、１つ以上のＲＦ集積回路（ＲＦＩＣ）に実装されうる。各ブロックは、例えばそのブロックの非線形性と熱雑音との少なくともいずれかに起因して、受信信号への歪みの一因となり得る。
【００７７】
図５は、いくつかの実施形態による受信器５００を示している。受信器５００は、ＵＥ機器内に実装されうる。受信器は、入力信号（例えば、基地局によって送信された下りリンクＯＦＤＭ信号を含む入力信号）を受信する低電力増幅器５０２を含みうる。ＬＮＡ５０２の利得は制御可能でありうる。ＬＮＡ５０２の出力は、増幅された信号を、周波数シンセサイザ５２０から供給された直交局部発振器（ＬＯ）信号と混合するミキサ５０４及びミキサ５２８へ供給されうる。周波数シンセサイザ５２０は、電圧制御発振器５２２及びＰＬＬ５２４によって生成された初期ＬＯ信号に基づいて、直交ＬＯ信号を生成しうる（複数の直交ＬＯ信号は、同一の周波数を有するが、位相が９０°ずらされたものでありうる）。ミキサの出力信号は、低域通過フィルタ５０６及び５３０へ、それぞれ供給される。これらのフィルタはプログラム可能でありうる。フィルタ出力信号は、それぞれ、アナログ可変利得増幅器（ＶＧＡ）５０８及び５３２へ供給されうる。増幅器出力信号は、それぞれ、低域通過フィルタ５１０及び５３４へ供給されうる。これらのフィルタもプログラム可能でありうる。フィルタ５１０及び５３０の出力は、それぞれ、フィルタ出力信号を別個のサンプル系列へ変換するアナログ−デジタル変換器５１２及び５３６へ供給されうる。ＡＤＣによって生成されたサンプル系列は、それぞれ、フィルタ５１４及び５３８によってフィルタリングされる（フィルタ５１４及び５３８はＦＩＲフィルタでありうる。ＦＩＲは有限インパルス応答の頭字語である。しかしながら、他のフィルタの種類も同様に用いられうる。）。フィルタ５１４及び５３８によって生成された出力系列は、それぞれ、デジタル可変利得増幅器（ＶＧＡ）５１６及び５４０へ供給されうる。デジタルＶＧＡによって生成された出力系列は、ＩＦ及びベースバンド処理のためのデジタル回路５１８へ供給されうる。デジタル回路５１８は、下りリンク信号によって運ばれた情報を復元するために、デジタルＶＧＡからの出力系列を復調及び復号するように構成されうる。デジタル回路５１８は、図５に示すように、設定パラメータと制御信号とをこれらのユニットに供給するために、受信器内の他のユニットの任意の一部（又は全部）に接続されうる。
【００７８】
ＡＤＣのサンプリングクロックは、ユニット５２６によって供給されうる。ユニット５２６は、ＰＬＬ５２４によって供給された発振器信号を、正の整数である係数Ｎで分割しうる。したがって、サンプリングクロックの周波数は、発振器信号の周波数の１／Ｎ倍でありうる。参照クロックユニット５４２は、ＲＸ  ＬＯ波形を実装するために、ＰＬＬシンセサイザ５２４へ参照クロック信号を供給しうる。
【００７９】
受信器アナログ処理に対する要求の要求に応じた変化
要求に応じた線形性：受信信号は通常微弱であり、強力な隣接チャネルの存在下で処理される必要がある。
【００８０】
受信器に対する相互変調の要求（例えば、低電力増幅器（ＬＮＡ）、ミキサ及びベースバンド回路に課される線形性の要求）は、無線スペクトルにおいて干渉がない状態であることが検知された場合には緩和されうる。要求に応じた線形性は、以下の要素（センシング）のうちの１つ以上に基づいて設定されうる：
（ａ）帯域内（ＩＢ）及び帯域外（ＯＯＢ）無線ブロッカー、
（ｂ）その例が以下に与えられる（ＦＤＤシステムに対する）送信電力の漏れ、
（ｃ）エラーベクトル振幅（ＥＶＭ）の要求、又はより一般的には、動作中の復調ＳＮＲの要求。ＳＮＲは信号対雑音比の頭字語である。
【００８１】
帯域内ブロッカーの電力は、ＡＤＣ後のデジタルフィルタリングによって定まり得る。例えば、通過帯域が対象の信号を通過させるように構成されているフィルタの入力と出力との間の電力の差は、ブロッカーの電力を判定しうる。ＯＯＢブロッカーの電力特性は、ＤＳＰにおける電力スペクトル計測器から、下りリンク信号の帯域外の無線スペクトルをスキャンすることによって、判定されうる。送信電力の漏れは、アナログフィルタとＤＳＰにおけるフィルタとのいずれかによって判定されうる。このようなフィルタは、送信信号の周波数を通過させるように調整されうる（漏れ電力は、フィルタから出力された信号に基づいて測定されうる。）。ＥＶＭの要求又は動作中の復調ＳＮＲは、受信信号内の、変調された波形の変調及び符号化方式（ＭＣＳ）を指示する制御信号を復号することに基づいて判定されうる。
【００８２】
また、歪みは、デジタル領域で、デジタル信号処理を用いて除去されうる。いくつかの実施形態では、二次相互変調歪み（ＩＭＤ２）が、例えば、最小二乗平均（ＬＭＳ）アルゴリズムを用いて適応的に除去されうる。このように、ＩＩＰ２キャリブレーションに専用でありうる著しい量のハードウェア（ＨＷ）が省かれうる。さらに、いくつかの実施形態では、三次相互変調歪み（ＩＭＤ３）が除去されてもよく、これにより、ＲＦの線形性要求、ひいては電力消費を下げうる。
【００８３】
ＩＩＰ３の抑制の例
ＦＤＤ  ＬＴＥのバンド５に対して、複信間隔は４５ＭＨｚである（複信間隔は、送信と受信との間の周波数の間隔を意味する。）。（希望ＲＦ信号の中心と比して）−９０ＭＨｚにおける、−１５ｄＢｍの電力を有しうるブロッカーは、ＵＥ機器のデュプレクサによって減衰する（Ｒｘフィルタからの３５ｄＢの減衰を想定すると、連続波の電力ＰCW＝−５０ｄＢｍとなる。このＲｘフィルタは、デュプレクサ帯域通過フィルタともよばれる）。ブロッカーは、相互変調して歪みを引き起こす、他の不要ＬＴＥチャネルとＴｘ漏れとの少なくともいずれかに起因しうる。
【００８４】
５ＭＨｚ帯域幅の受信信号と５ＭＨｚ帯域幅の送信信号を想定する。すると、符号化率１／３のＱＰＳＫに対して、ＩＭＤ３に起因する最大許容歪みレベルは、例えば図６に示すように、
0006359498.tif 000002
であり、ここで、Ｐwantedは、符号化率１／３のＱＰＳＫの感度に従うと共に、ブロッカーによるＮＦ劣化（６ｄＢ）を許容する−９３．５ｄＢｍの希望電力レベルである（ＮＦは雑音指数の頭字語である）。ＴＮは、熱雑音を表し、ｘは、相互変調歪みに関してＴＮが寄与する余剰雑音を表す。
【００８５】
Ｔｘの最大電力を２３ｄＢｍとし、２ｄＢのデュプレクサ損失、及びデュプレクサの漏れに対する５０ｄＢのアイソレーションを想定すると、受信器のＬＮＡの入力における送信信号の信号漏れは、
0006359498.tif 000003
となる。４ｄＢの係数は、最大Ｔｘ電力に関する緩和を、すなわち、実際のＴｘ電力は、最大Ｔｘ電力を４ｄＢ下回りうることを考慮したものである。したがって、３ＧＰＰ標準によって指示される６ｄＢの雑音指数（ＮＦ）の劣化を満たすための三次入力インターセプトポイント（ＩＩＰ３）の要求値は、
0006359498.tif 000004
によって与えられる。
【００８６】
この要求は、ＱＰＳＫ（四相位相偏移変調）のためのものである。上述のように、６ｄＢの係数は、ブロッカーに起因するＮＦ劣化と考えられうる。図６では、ＲＦsensは、非線形性がない場合のＱＰＳＫ、１／３の感度の要求を表しており、ＳＮＲは熱雑音に起因した受信信号の信号対雑音比であり、ＩＭは、不完全なデジタル信号処理に起因した実装損失を表し、ＴＮフロアは熱雑音のフロアを表している。
【００８７】
Ｔｘ漏れ電力Ｐtxが１ｄＢ減るごとに、ＩＩＰ３の要求値が１ｄＢずつ減ることに注意されたい。したがって、Ｔｘ漏れ電力が１０ｄＢ減ると、ＩＩＰ３の要求を１０ｄＢ減らすことができる。さらに、ブロッカーの電力ＰCWが１ｄＢ減るごとに、ＩＩＰ３の要求値は０．５ｄＢずつ減る。したがって、漏れ電力をフィルタリング又は除去することにより、著しい電力の節約を達成することができる。
【００８８】
受信器におけるＩＱミスマッチ
受信器（Ｒｘ）におけるＩＱミスマッチは、受信信号の忠実性に影響を及ぼす。ＩＱミスマッチは、受信器の同相（Ｉ）チャネルと直交（Ｑ）チャネルとの間の利得のインバランスと、ＩチャネルとＱチャネルとの間の位相の非対称性との少なくともいずれかを含みうる。
【００８９】
従来の構成では、ＩＱミスマッチの推定を可能とするためのキャリブレーション手順を採用することにより、追加のコストが発生しうる。ミスマッチは、キャリブレーション手順を複雑にする、周波数依存のものであってもよい。特にキャリブレーションが多くのＲＦＩＣ状態／利得及び受信帯域幅にわたって必要とされうるため、工場においてキャリブレーションに関するコストが存在しうる。さらに、アナログフィルタのキャリブレーションのためのコスト、及び、ＲＦ処理における追加のループバック回路のためのコストが存在しうる（「ループバック回路」は、対象のミスマッチ／歪みを抽出するためにＲＦチェーンの様々な部分からの信号をＡＤＣ回路へループバックさせることを含むキャリブレーション用の回路を参照する。）。キャリブレーション中に決定されたパラメータは、ＩＱミスマッチを取り除くために、デジタル補償ユニットによって実質的に使用されうる。
【００９０】
いくつかの実施形態では、コストのかかるキャリブレーションを避けるために、受信器は、（例えば、ＯＦＤＭ信号において、Ｉ信号とＱ信号との電力、及びその相互相関に基づいて）ＩＱミスマッチの適応的かつリアルタイムの補償のための機構を採用しうる。また、周波数依存のミスマッチは、例えばデジタル信号処理において、適応非相関技術を用いて補償されうる。
【００９１】
（ＬＴＥなどの様々な通信標準において許容されるような）異なるリソース割り当ての量、及び異なる変調フォーマットは、異なる最大許容ＩＱミスマッチについての要求を有する。例えば、最大許容ＩＱミスマッチは、低次のコンスタレーションに対しては、高次コンスタレーションに対するよりも大きくなりうる。別の例として、最大許容ＩＱミスマッチは、ＵＥ機器に多数のリソースブロックが割り当てられた場合に、少量のリソースブロックが割り当てられた場合よりも大きくなりうる。
【００９２】
したがって、デジタル処理における電力を節約するために、ＩＱ劣化補償（例えばクロストークの補償）が、以下のファクタのうちの１つ以上に基づいて、適応的に使用される。
【００９３】
（Ａ）変調次数と変調及び符号化方式（ＭＣＳ）の少なくともいずれか、並びに空間の次元。例えば、ＩＱ劣化補償は、６４ＱＡＭが用いられているときに使用され、ＱＰＳＫが用いられているときには使用されなくてもよい。別の例として、ＩＱ劣化補償は、ＭＩＭＯのランクが１より大きい場合に使用され、ＭＩＭＯのランクが１に等しい場合には使用されなくてもよい（ランクが１より十分に大きいＭＩＭＯは、低ランク又はランクが１のＭＩＭＯと比してより高いＳＮＲを要求しうる）。
【００９４】
（Ｂ）一方向対双方向の割り当て。一方向の割り当ての場合、ＩＱ補償が起動されているときに、イメージ周波数の電力が定まりうる（イメージ周波数は、受信器に割り当てられる周波数の負数である。別のユーザは、そのイメージ周波数におけるリソースを割り当てられうる。）。ＵＥ機器におけるデジタル回路は、イメージ周波数電力を測定し、その測定に基づいてＩＱ補償が必要かを決定しうる。周波数ｆにおける電力及びイメージ周波数−ｆにおける電力が大きく異なる場合、例えば、それらの比の絶対値が、単位が所与の量より大きく外れている場合（すなわち、ｆにおける電力が−ｆにおける電力より大幅に大きい場合）、ＩＱ劣化補償は、少なくとも周波数ｆについては使用されなくてもよい。
【００９５】
（Ｃ）イメージ除去比（ＩＲＲ）は、
0006359498.tif 000005
によって与えられ、ここで、ｇは利得ミスマッチであり、φは位相ミスマッチである。数的な例では、１０ｄＢの信号対雑音比（ＳＮＲ）が特定のＢＬＥＲ（ブロック誤り率）で波形を復調するのに必要である場合、利得ミスマッチが２０％より小さく、位相ミスマッチが２０°より小さい場合には、上式によって証明されうるように、補償は必要とされない（換言すれば、それらの利得ミスマッチ及び位相ミスマッチ環境下では、１０×ｌｏｇ10（ＩＩＲ）が１０ｄＢより大きいことに従う）。より一般的には、ＵＥ機器におけるデジタル回路は、受信信号のＩ及びＱ要素に基づいて利得ミスマッチｇ及び位相ミスマッチφを計算し、上述の式に基づいてＩＩＲを計算し、計算されたＩＩＲ（又はそのデシベル等価量）を要求されるＳＮＲと比較し、計算されたＩＩＲが要求されるＳＮＲより小さい場合にＩＱ補償を起動しうる。
【００９６】
また、ＵＥ機器のデジタル回路は、イメージ周波数の電力を測定し、そのイメージ周波数の電力の測定値に基づいてＩＱ補償が必要であるかを決定してもよい（デジタル回路は、受信器における１つ以上の増幅器、フィルタ等の利得を制御するためにＡＧＣ機能を実装しうる。ＡＧＣは自動利得制御の頭字語である。ＡＧＣの動作の中の１つは、任意の所与の周波数又は周波数の範囲についての電力を測定する動作でありうる。したがって、イメージ周波数の電力の上述の測定は、デジタルＡＧＣ機能の一部として実行されうる。）。例えば、イメージ周波数における割り当てがない場合、ＩＱ補償は必要でない。
【００９７】
（Ｄ）より高い周波数の割り当ては、低い周波数の割り当てよりも周波数依存ＩＱミスマッチに敏感となる。これは、より高い周波数においては、Ｉ及びＱの処理パス間の遅延ミスマッチが大きい位相ミスマッチをもたらすこととなるからである。換言すれば、ＵＥ機器は、ＵＥ機器に割り当てられるリソースが下りリンクスペクトルの周波数の高い方の端におけるものである場合、そのリソースが下りリンクスペクトルの周波数の低い方の端におけるものである場合よりも、ＩＱミスマッチに敏感となるだろう。したがって、ＵＥ機器は、周波数領域におけるリソース割り当ての位置に基づいて、周波数依存ＩＱミスマッチの補償を有効化／無効化しうる。基地局は、下りリンク信号の制御チャネル（例えばＰＤＣＣＨ又はｅ−ＰＵＣＣＨにおいて、ＵＥ機器に割り当てられているリソースを表示しうる。
【００９８】
受信器における位相雑音
位相雑音は、（１）希望信号の自己干渉と、（２）希望信号より強い隣接チャネルのスペクトルの広がりと、の少なくともいずれかを通じて受信器に影響を及ぼし得る（隣接チャネルは、ＵＥ機器へ現在のサービング基地局が伝送を行っているチャネルに隣接するチャネルである。）。位相雑音は、ＰＬＬ回路の局部発振器（ＬＯ）の不完全性に起因しうる。
【００９９】
位相雑音の要求を緩和すること、すなわち、最大許容位相雑音電力を増やすことは、位相ロックループ（ＰＬＬ）が消費する電力の大幅な削減をもたらすだろう。ＰＬＬの位相雑音の要求の緩和は、スペクトルのセンシングとのそのユースケースに基づいて達成されうる。スペクトルのセンシングの方法では、ＵＥ機器のデジタル回路は、（相互の混合に寄与しうる）隣接チャネルの電力をセンシングし、隣接チャネル電力が小さい（大きい）場合に、位相雑音の要求を緩和し（厳しくし）うる。ユースケースの方法では、ＵＥ機器のデジタル回路は、異なるユースケース（例えば変調方式と、変調次数と、空間ストリームの数との少なくともいずれか）に対して、異なる位相雑音の要求を貸し得る。小さい（大きい）変調次数、及び少ない（多くの）空間ストリームの数は、ＳＮＲの要求が異なるため、緩い（きつい）位相雑音における制約に対応することとなるだろう。
【０１００】
いくつかの実施形態では、ＰＬＬ位相雑音の電力スペクトル密度（ＰＳＤ）における制約の緩和は、デジタルベースバンド信号における位相雑音を補償するためのデジタル信号処理技術を用いることによって実現されうる。位相雑音の低周波数要素は、シンボルごとのランダムな位相回転をもたらすだろう。これらの位相雑音の低周波数要素は、以下の技術のうちの１つ以上を通じて追跡され（ひいては取り除かれ）うる。
【０１０１】
（１）共通位相誤差推定及び訂正。共通位相誤差は、特定のＯＦＤＭシンボルに対してすべてのサブキャリアが受ける共通の位相回転である。共通の（同一の）位相誤差は、チャネル推定技術を用いて推定されうる。共通位相誤差は、推定されたＣＰＥ（共通位相誤差）だけ、各ＯＦＤＭシンボルについてのサブキャリアを逆回転することにより、訂正されうる。
【０１０２】
（２）自動周波数制御（ＡＦＣ）ループの動作。ＵＥ機器のデジタル回路は、１つのＯＦＤＭシンボルから次のＯＦＤＭシンボルへの位相の飛びを推定することにより、ＡＦＣループを実行しうる（各サブキャリアは、１つのＯＦＤＭシンボルから次のＯＦＤＭシンボルへと変化するランダム位相要素を有するだろう。デジタル回路は、これらの位相の飛躍を補償しうる。）。
【０１０３】
（３）チャネル推定及び時間方向での追跡（チャネル推定値は、基地局によって下りリンク信号に含められたパイロットシンボル又は参照シンボルに基づいて、ＵＥによって生成されうる。）。カルマンフィルタリングを用いたチャネル推定の場合、追跡されうる（ひいては取り除かれうる）位相雑音ＰＳＤプロファイルの周波数は、定常リアプノフ式を解くことによって判定されうる。定常リアプノフ式は、ドップラーシフトの関数であるチャネル電力遅延プロファイルの状態空間動的モデルから定められうる。（ＩＣＩを引き起こす）位相雑音の高周波数要素は、適応ＩＣＩ除去手法を通じて除去されうる（ＩＣＩは、キャリア間干渉の頭字語である。ＰＳＤは、電力スペクトル密度の頭字語である。）。
【０１０４】
ベースバンドアナログフィルタリング
受信器のベースバンドアナログフィルタ（例えば、図５のフィルタ５１０及びフィルタ５３４）によって消費される電力は、フィルタへの全入力信号（すなわち、希望信号プラス任意の強いブロッカー）のダイナミックレンジ、及び、希望信号の帯域幅ＢＷとフィルタの伝達関数におけるポールの数に比例しうる。用語「希望信号」は、ＵＥのリソース割り当てに対応する信号のことを指す。用語「ブロッカー」は、干渉信号を指す。ポールの数は、ブロッカーの減衰量を定めるだろう。
【０１０５】
ＵＥ機器におけるデジタル回路は、隣接ブロッカーの電力を動的にセンシングしうる（ブロッカーは、周波数において希望信号の次に位置するときに「隣接する」と言う。）。隣接ブロッカーの動的にセンシングされた電力を信頼して、デジタル回路は、以下の技術の１つ以上を用いてアナログフィルタ回路を調整しうる。
【０１０６】
（Ａ）伝達関数のポールの数は、隣接ブロッカーの電力が小さい（例えば閾値より小さい）場合に、減らされてもよく、したがって、ベースバンドアナログフィルタにおけるステージ数は減り得る。
【０１０７】
（Ｂ）アナログフィルタのアナログ処理パスのダイナミックレンジは、隣接ブロッカーの電力が小さい場合には減らされうる。例えば、アナログ処理パスのダイナミックレンジは、ＡＤＣビットの数を減らすことによって減らされうる。ダイナミックレンジの減少は、強い信号の存在に起因した、クリッピング又は圧縮によって引き起こされる非線形性を減らす。
【０１０８】
（Ｃ）アナログフィルタ回路は、入力信号電力に基づいて、（例えば、より低い供給電流レベル又はより低い供給電力レベルでそのアナログフィルタ回路を動作させることにより）より雑音が多くなるのを許容しうる（ＡＧＣは、入力希望信号の強度を判定することができる。その信号が強い場合、より多くの雑音に耐えることができる。したがって、アナログブロックは、より雑音が多くなるのを許容する。信号が小さい場合、アナログブロックは、雑音が小さいことが要求される。）。
【０１０９】
（Ｄ）フィルタの帯域幅は、ＵＥ機器へのリソース割り当てのサイズに基づいて調整されうる（ＬＴＥはユーザに対する動的な可変サイズの割り当てを許容する）。少ない量の割り当てリソースブロック（ＲＢ）に対しては、ＵＥ機器は、より小さいフィルタ帯域幅を用い、ひいてはより少ない電力を消費しうる。ＵＥ機器は、割り当て、すなわち、ＵＥ機器に割り当てられたリソースブロックのセットの中心に、フィルタの通過帯域の中心を配置しうる。
【０１１０】
一次アナログフィルタの例
図７Ａは、いくつかの実施形態による、シングルエンド一次フィルタ７００を示している（フィルタ７００は上述のベースバンドアナログフィルタ又はその一部を実装するために用いられうる）。フィルタ７００は、トランスコンダクタンス値ｇm1を有するトランスコンダクタ７０５、キャパシタＣL、及びトランスコンダクタンス値ｇm2を有するトランスコンダクタ７１０を含みうる。入力電圧Ｖinは、トランスコンダクタ７０５の負の入力へ供給されうる。トランスコンダクタ７０５の正の入力は、グランドに接続されうる。トランスコンダクタ７０５の出力は、トランスコンダクタ７１０の負の入力、キャパシタＣL及びフィルタ７００の出力ポートＶoutに接続されうる。
【０１１１】
いくつかの実施形態では、トランスコンダクタ７０５とトランスコンダクタ７１０とのそれぞれは、トランスコンダクタ回路図７５０を示している図７Ｂに示されるように実装されうる（その一方で、トランスコンダクタ７０５及び７１０が同一の回路によって実現されるという一般的な要求はないことが理解されるべきである。）。入力電圧信号Ｖinは、トランスコンダクタンス値ｇmのトランジスタ７５５のゲートに接続されうる。トランジスタのドレインＤは、負荷７６０を通じて供給電圧ＶSupplyに接続しうる（負荷は、例えば、抵抗でありうる。）。トランジスタのソースＳは、グランドに接続しうる。電流Ｉout及び電圧Ｖoutが、（ドレインに接続されている）出力ポートにおいて生成される。
【０１１２】
ダイナミックレンジ又は信号対雑音比の定義
図７Ａを参照すると、フィルタ４００の伝達関数は、
0006359498.tif 000006
のように表すことができ、ここで、ポールｐ1＝ｇm2／ＣLであり、ｓは複素数で可変である。
【０１１３】
「Ｒａｊａｖｉ」によれば、ドレイン雑音電流は、
0006359498.tif 000007
により与えられ、ここで、ｋはボルツマン定数を表し、Ｔは観測の温度を表し、γはトランジスタ配置に応じた係数を表し、ｉdn1は段階１の雑音電流を表し、ｉdn2は段階２の雑音電流を表す。本回路の雑音等価帯域幅Ｂnは、
0006359498.tif 000008
により与えられる。「Ｒａｊａｖｉ」は、Ｂｅｈｚａｄ  Ｒａｊａｖｉによる、「ＲＦマイクロエレクトロニクス」と題された本を指す。
【０１１４】
ＶFS,ppによって示されるフィルタの出力におけるフルスケールの信号電圧（すなわち、ピーク・トゥ・ピークの電圧）を仮定する。また、負荷からの高いインピーダンスを仮定する。したがって、二乗された総雑音電圧は、
0006359498.tif 000009
によって与えられる。
【０１１５】
電力消費モデル
上述の増幅器７００に対する、利得、帯域幅（ＢＷ）及び信号対雑音比（Ｓ／Ｎ）の関数としての、電力消費モデルを、以下に組み立てる。ｉ2totn及びＢnのための式をｖ2totnのための上の式に代入することにより、
0006359498.tif 000010
が得られる。
【０１１６】
出力における最大の振れを仮定すると、フィルタの出力におけるダイナミックレンジ（すなわち、Ｓ／Ｎ）は、
0006359498.tif 000011
であり、ここで、ｖSは希望信号又は有益信号の電圧を表す。
【０１１７】
２つのブランチからの総電流ＩDは、
0006359498.tif 000012
であり、ここで、Ｖeffは、ＶGS−Ｖｔｈを表す。
【０１１８】
標準的なロングチャネルＭＯＳＦＥＴに対して、トランスコンダクタンスｇmが、
0006359498.tif 000013
により与えられ、ここで、ＶGSは、ＭＯＳＦＥＴのゲートソース間電圧を表し、ＶTHは、ターンオン閾値電圧を表す。
【０１１９】
したがって、例示の増幅器の電力消費は、
0006359498.tif 000014
であり、ここで、ＶDDは供給電圧を表す。
【０１２０】
理想的には、最大出力電圧の振れＶFSは、電源電圧ＶDSに等しい。これに当たらない場合、電力消費は、
0006359498.tif 000015
だけ増加するだろう。我々は、より高いフィルタ帯域幅を用いると、より多くの雑音が集められ、ダイナミックレンジ（すなわち、ＳＮＲ）を維持するためにはより多くの電力が消費される必要があることを観測している。フィルタ帯域幅は、上式において、ポールｐ１によって表されている。
【０１２１】
例として、ブロッカーの電力が有意である場合、検出されたブロッカーの電力が１０ｄＢだけ減るならば、ダイナミックレンジ（Ｓ／Ｎ）の１０ｄＢの減少を犠牲にして、電力消費Ｐを１０ｄＢだけ減らすことができる。式（１３Ｂ）を参照されたい。
【０１２２】
また、ＵＥ機器への下りリンク割り当ての帯域幅（ＢＷ）が（例えば５０ＲＢから２ＲＢへと）減った場合、同一のダイナミックレンジに対して、ＵＥ機器は、帯域幅の１４ｄＢ（より小さい集められた雑音）を交換して、電力消費を減らすことができる（なお、１０×ｌｏｇ（５０／２）≒１４である。）。換言すれば、割り当て帯域幅の減少に合わせてフィルタ帯域幅を減らすことにより、電力消費Ｐを減らすことができる。式（１３Ｂ）では、帯域幅は、パラメータｐ1によって表されている。
【０１２３】
要求に応じたＡＤＣ及びダイナミックレンジ
ＵＥの受信器のアナログ−デジタル変換器（ＡＤＣ）の仕様は、チャネル帯域幅（ＢＷ）及びダイナミックレンジを含みうる。したがって、いくつかの実施形態では、ＡＤＣの電力消費のモデルは、
0006359498.tif 000016
である。ＢＷはチャネル帯域幅、すなわち、ＵＥの希望信号を運ぶ無線チャネル（例えばＯＦＤＭ帯域）の帯域幅を表している。
【０１２４】
ＡＤＣのダイナミックレンジは、以下のファクタの１つ以上に基づいて動的に調整されうる。
【０１２５】
（Ａ）ダイナミックレンジは、通常はチャネル帯域幅より非常に小さい希望信号の帯域幅に基づいて、動的に調整されうる（ＬＴＥでは、リソースの割り当ては動的である。したがって、ＵＥ機器に割り当てられたリソースの帯域幅は、動的に変動しうる）。等電力を有するが、異なるＢＷと同一のＳＮＲ要求を有する２つの割り当てを想定する。ここでＢＷ１＞ＢＷ２である。割り当て２のためのＡＤＣのダイナミックレンジは、集められた量子化雑音（ＱＮ）がより小さくなるために、（割り当て１に対するよりも）大きくなるだろう。このように、ＡＤＣは、割り当て２に対して不必要な電力を費やすだろう。したがって、割り当て帯域幅が減ったときにＡＤＣのダイナミックレンジを減らすことにより、電力消費Ｐを減らすことができる。ＵＥ機器は、サンプリング周波数、量子化器ビットの数、及びＡＤＣのステージ数のうちの１つ以上を制御することによって、ＡＤＣのダイナミックレンジを制御しうる。
【０１２６】
（Ｂ）要求ダイナミックレンジを判定するために、ブロッカーの電力レベルをも用いうる。ブロッカーの電力レベルは動的にセンシングされることができ、したがって、ダイナミックレンジは動的に調整されうる。ダイナミックレンジは、ブロッカー電力が小さい（大きい）時に、増やされ（減らされ）うる。ブロッカーの電力レベルは、ＡＧＣ回路とデジタル領域におけるフィルタリングとの少なくともいずれかによって、検出されうる。
【０１２７】
（Ｃ）変調及び符号化方式（ＭＣＳ）及び空間ストリームの数などの動作パラメータは、ＡＤＣに課されるＳＮＲの要求を判定しうる（ＳＮＲの要求は、ＡＤＣのダイナミックレンジを制御することによってＡＤＣに課されうる。）。換言すれば、ＳＮＲの要求（又はＡＤＣ帯域幅）は、割り当てのＭＣＳと割り当てに関する空間ストリームの数との少なくともいずれかに基づいて調整されうる。
【０１２８】
ＡＤＣのダイナミックレンジは、以下のうちの１つ以上を制御することにより、動的に調整されうる。
【０１２９】
（１）ＡＤＣのクロック周波数。量子化雑音（ＱＮ）は、クロック周波数が小さいときには、小さい周波数の範囲に広がる。したがって、クロック周波数が減らされると、ダイナミックレンジは減少する。
【０１３０】
（２）ＡＤＣのシグマデルタ変調器の次数。より低い次数は、より低いノイズシェーピング、より高い量子化雑音、ひいてはダイナミックレンジの減少をもたらす。
【０１３１】
（３）シグマデルタＡＤＣの場合にＤＡＣへ入力されるＡＤＣ量子化器（コンパレータ）ビットの数。
【０１３２】
また、ノイズシェーピングに用いられるＱＮ伝達関数は、割り当てられたＲＢに対応する周波数の間隔においてゼロを有するように構成されうる（割り当てられたＲＢに最適化された帯域通過伝達関数に類似している）。下りリンクＯＦＤＭチャネルのＤＣ（すなわちゼロ周波数）付近に固定してシグマデルタ伝達関数のゼロを配置すると、ＡＤＣは、ＵＥのリソース割り当てがチャネルのエッジに近いときには、無駄な努力をすることとなる（シグマデルタ伝達関数は、ここでは、ＱＮ伝達関数とも呼ばれる。）。シェーピングは、これらの周波数において最適ではない。
【０１３３】
例えば、ｎ個のインテグレータを有し、量子化器においてＢビットを用い、ＯＳＲに等しいオーバーサンプリング比を用いる、シグマデルタ変調器について検討する。このようなシグマデルタ変調器における量子化雑音（ＱＮ）からのＳＮＲは、
0006359498.tif 000017
によって表されうる。
【０１３４】
例えば、所望の復調ＳＮＲが５ｄＢである場合、ブロッカーなしに、（１６）から要求されるダイナミックレンジＤＲは、
0006359498.tif 000018
となるだろう。ここで、ＰＡＰＲはピーク対平均電力比であり、Ｆａｄｉｎｇはフェージングマージン（アップフェード及びダウンフェード）を表している。この要求は、例えば、ＯＳＲ＝１０、ｎ＝２、Ｂ＝２によって満たされうる。
【０１３５】
最高のＭＣＳ及びブロッカーが存在する場合、要求されるＤＲは７０ｄＢである。この要求は、例えば、ＯＳＲ＝２０、ｎ＝３、Ｂ＝３によって満たされうる。
【０１３６】
このように、ＡＤＣのダイナミックレンジに対する要求を下げることにより、顕著なＡＤＣの省電力を達成することができることが分かる。
【０１３７】
送信データパス及び電力増幅器歪み
上述のＵＥ機器の受信器におけるデジタル信号処理技術と同様に、デジタル処理は、動的に消費される電力を最適化するようにＵＥ機器の送信器を制御するのに用いられうる。
【０１３８】
いくつかの実施形態では、送信器におけるデジタルプリディストーション（ＤＰＤ）回路及び包絡線追跡（ＥＴ）ルックアップテーブルが、上りリンク変調方式、ＥＶＭの要求、及びＲＢ割り当てのサイズ及び位置などの１つ以上のファクタに基づいて動的に調整されうる（ＥＶＭは、エラーベクトル振幅の頭字語である。）。
【０１３９】
受信器について上述したように、送信器の劣化（例えば、ＩＱミスマッチと周波数依存のＩＱミスマッチとの少なくともいずれか、位相雑音など）は、送信波形の要求される忠実性に基づいて動的に調整されうる。
【０１４０】
図８は、いくつかの実施形態による、送受信器８００を示している。送受信器８００は、ＵＥ機器によって使用されうる。デジタル回路８０２（例えば、デジタル信号プロセッサ、又はＡＳＩＣ、又はプログラム可能なハードウェア要素又は上述のものの任意の組み合わせ）は、
デジタルベースバンド信号の生成、
振幅ベースバンド信号のスケーリングとデトラフィング（detroughing）との少なくともいずれか、
送信器によって生じることとなる劣化を保証するためのデジタルベースバンド信号のプリディストーション、及び
位相信号に関して振幅信号のタイムアライメント、
などの１つ以上の機能を実行するように構成されうる。いくつかの実施形態では、振幅信号と位相信号は、それぞれ、ベースバンド信号の複素表現Ａ（ｎ）×ｅｘｐ｛ｊ×θ（ｎ）｝における、振幅Ａ（ｎ）及び位相θ（ｎ）を指す。
【０１４１】
プリディストートされたデジタルベースバンド信号８０３は、そのプリディストートされたデジタルベースバンド信号をアナログ信号へ変換するデジタル−アナログ変換器（ＤＡＣ）８０４へ供給される。アナログ信号はフィルタ８１０によって低域通過フィルタリングされ、低域通過フィルタリングされた信号は、アップコンバージョン部８１２によってアップコンバートされる。アップコンバートされた信号は、フィルタ８１４によって帯域通過フィルタリングされる。フィルタ８１４によって生成されたＲＦ信号は、その信号を前置増幅するドライバ８１６へ供給される。ドライバからの出力信号は、ＵＥ機器の１つ以上のアンテナを介して送信される出力信号を生成するために、ＲＦ電力増幅器８１８によって増幅される。
【０１４２】
デジタル回路８０２は、デジタル包絡線信号ＤＥＳを、そのデジタル包絡線信号をアナログ包絡線信号ＡＥＳへと変換するＤＡＣ８０４へ供給しうる。アナログ包絡線信号は、包絡線増幅器８０８によって増幅されるフィルタリングされた包絡線信号を生成するために、フィルタ８０６によって低域通過フィルタリングされうる。包絡線増幅器の出力は、電力増幅器８１８の電源電圧を制御するのに用いられうる。電源電圧を連続的に調整することにより、電力増幅器の効率が高められうる（すなわち、熱散逸によって浪費される電力を少なくしうる。）。
【０１４３】
また、送受信器８００は、ＲＦカプラ８２０から受け取った入力信号をダウンコンバートするダウンコンバータ８３０を含みうる。カプラは、送信波形を、その歪み特性を解析するために、戻すように構成される。ダウンコンバートされた信号ＤＣＳは、フィルタ８３５によって低域通過フィルタリングされる。低域通過フィルタリングされた信号８３６は、アナログ−デジタル変換器８４０によってサンプリングされる。結果のサンプリングされた信号８４１は、処理のためにデジタル回路８０２に供給される。ダウンコンバージョンパスは、例えばプリディストーション回路のトレーニングを可能とするために、フィードバックループを提供する。
【０１４４】
デジタル回路８０２は、低域通過フィルタ８０６、８１０、８３５、アップコンバータ８１２、ダウンコンバータ８３０、増幅器８０８、ドライバ８１６、電力増幅器８１８、又は上述のものの任意のサブセットなどの、アナログ回路へ、設定パラメータと制御信号との少なくともいずれかを供給するように構成されうる。さらに、デジタル回路８０２は、ＤＡＣ８０４とＡＤＣ８４０との少なくともいずれかへ、設定パラメータと制御信号との少なくともいずれかを供給するように構成されうる。これらの設定パラメータと制御信号との少なくともいずれかは、目標電力消費及びＴｘ波形の要求される忠実性の関数でありうる。要求される忠実性は、下りリンク信号における制御チャネル（例えばＬＴＥの文脈におけるＰＤＣＣＨ）を復号することから判定されうる。
【０１４５】
一連の実施形態において、無線受信器を動作させるための方法９００は、図９に示す動作を含みうる（なお、本方法９００は、上述の特徴、要素及び実施形態の任意のサブセットを含みうる）。無線受信器は、例えば上で様々な説明をしたような、ＵＥ機器の一部でありうる。いくつかの実施形態では、ＵＥ機器は、ウェアラブル機器などの電力に制限を有する機器でありうる。
【０１４６】
９１０において、ＵＥ機器の１つ以上のアンテナを用いて、ＲＦ信号が受信される。ＲＦ信号は、サービング基地局、例えばＬＴＥのｅＮｏｄｅＢからの、下りリンク伝送に応じて、伝送媒体から受信されうる（いくつかの実施形態では、ＲＦ信号はＯＦＤＭ信号又はＯＦＤＭＡ信号であり、またはそれらを含む。）。ＲＦ信号は、１つ以上の干渉源、例えば他のチャネル若しくはチャネルの他の部分での基地局の送信、他の基地局の送信、ＵＥ機器の送信などを含みうる。干渉環境は動的に変動しうる。さらに、ＵＥ機器へのリソース割り当てのサイズと位置との少なくともいずれかは、下りリンクチャネルのスペクトル内で動的に変動しうる。
【０１４７】
９１５において、ＵＥ機器は、アナログ中間信号を得るために１つ以上のアナログ回路を用いてＲＦ信号に作用しうる。例えば、アナログ回路は、ミキサ、フィルタ、増幅器などを含みうる（図５は、アナログ回路の１つの実施形態を示している。しかしながら、様々な他の実施形態が可能である。）。アナログ中間信号は、同相成分信号と直交成分信号とを含む複素信号でありうる。
【０１４８】
９２０において、アナログ中間信号は、デジタル信号、すなわちサンプリングされた信号を得るために、アナログ−デジタル変換（ＡＤＣ）回路を用いてサンプリングされうる。いくつかの実施形態では、サンプリングされた信号は、同相成分信号及び直交成分信号を有する複素値信号でありうる。このように、ＡＤＣ回路は、２チャネルの機器でありうる。
【０１４９】
９２５において、ＵＥ機器は、受信器が満たすべき信号処理の忠実性のレベル又はレベルのセットを判定するために、ＲＦ信号又はアナログ中間信号又はデジタル信号（又はそれらの信号の任意の組み合わせ）を解析する（例えば、ＵＥ機器は、ＲＦ信号とアナログ中間信号との少なくともいずれかを解析するためにデジタル信号又はアナログ回路を解析するためのデジタル回路を含みうる。）。いくつかの実施形態では、解析された信号が高い品質のものである（例えば、所与の閾値を超える信号対雑音比を有する、又は所与の閾値より少ない干渉電力を有する）場合、アナログ回路（又はそのサブセット）の要求される信号処理の忠実性のレベル（又はレベルのセット）は緩和され、例えば（ＬＴＥ、Ｗｉ−Ｆｉ若しくはＷｉＭａｘ又はＢｌｕｅｔｏｏｔｈ）などの無線通信標準によって規定されるデフォルトのレベルに対して緩和されうる。
【０１５０】
信号処理の忠実性のレベルは、様々な実施形態において、若しくはアナログ回路のうちの異なるものに対して、又は様々な実施形態及びアナログ回路のうちの異なるものに対して、異なる方法で表されうる。例えば、信号処理の忠実性のレベルは、歪みの最大許容量、又は非線形性の仕様、又はエラーベクトル振幅の観点で表されうる。別の例として、信号処理の忠実性のレベルは、信号対雑音比に対する劣化の最小許容値の観点で表されうる。
【０１５１】
９３０において、ＵＥ機器は、上で様々に説明したように、判定された信号処理の忠実性のレベルに基づいて受信器の設定を変更しうる。受信器の設定の変更の動作は、以下のうちの１つ以上を含みうる。（１）変更は、１つ以上のアナログ回路のうちの少なくとも１つのアナログ処理の忠実性のレベルを調整することを含みうる。（２）変更は、１つ以上のアナログ回路によって生じるアナログ領域の歪みを補正するための、１つ以上のデジタル回路を用いたデジタル信号の処理を含みうる。
【０１５２】
受信ＲＦ信号は、（下りリンクチャネル、例えばＯＦＤＭ信号スペクトルで）サービング基地局によって送信された下りリンク信号と、１つ以上の干渉信号とを含みうる。下りリンク信号は、無線受信器による受信のための情報を含みうる。干渉信号は、他のチャネル又は（ＵＥ機器用のものでない）チャネルの他の部分で送信された他の下りリンク信号と、ＵＥ機器によって送信された上りリンク信号の漏れとの少なくともいずれかを含みうる。
【０１５３】
いくつかの実施形態では、上述の解析及び変更動作は、ＲＦ信号が受信されている間に動的に実行されうる。
【０１５４】
いくつかの実施形態では、上述の解析及び変更動作は、ＲＦ信号環境の動的変化に対処するために連続して若しくは繰り返し又は連続かつ繰り返して実行される。信号処理の忠実性のレベルは、ＲＦ信号環境が相対的に干渉のない者である場合に緩和され、ＲＦ信号環境が大量の干渉を有する場合に厳しくされうる。
【０１５５】
いくつかの実施形態では、アナログ処理の忠実性のレベルを調整する動作は、少なくとも１つのアナログ回路の線形性の範囲を調整することを含む。アナログ回路は、例えば、低電力増幅器（ＬＮＡ）、１つ以上のミキサ、１つ以上の中間周波数回路要素、電圧増幅器、周波数シンセサイザ、電力増幅器、アナログフィルタ、１つ以上のベースバンド回路要素の、任意の組み合わせを含みうる。
【０１５６】
いくつかの実施形態では、アナログ処理の忠実性のレベルを調整する動作は、少なくとも１つのアナログ回路の（ＩＩＰ３などの）非線形性の測定値を低減すること（又はより一般的には調整すること）を含む。
【０１５７】
いくつかの実施形態では、デジタル信号を処理する動作は、以下のうちの１つ以上を含む：
（ａ）デジタル信号から、１つ以上のアナログ回路に起因するＩＱミスマッチを取り除くこと、
（ｂ）共通位相誤差推定及び訂正アルゴリズムを用いて、デジタル信号内に存在する位相雑音を取り除くこと、
（ｃ）自動周波数制御（ＡＦＣ）ループを起動することにより、デジタル信号内に存在する位相雑音を少なくとも部分的に取り除くこと、
（ｄ）時間方向で繰り返しチャネル推定を実行するか、チャネル推定の漸進的変化を追跡するかの少なくともいずれかによって、デジタル信号内に存在する位相雑音を少なくとも部分的に取り除くこと、
（ｅ）適応キャリア間干渉（ＩＣＩ）除去アルゴリズムを用いてデジタル信号における位相雑音の高周波数成分を取り除くこと、
（ｆ）デジタル信号内に存在する送信器の漏れ（すなわち、ＵＥ機器の送信機からの漏れ）を取り除くこと、
（ｇ）（例えば最小二乗平均アルゴリズムを用いて）デジタル信号から二次相互変調歪み（ＩＭＤ２）を取り除くこと、
（ｈ）（例えばＬＭＳアルゴリズムを用いて）デジタル信号から三次相互変調歪み（ＩＭＤ３）を取り除くこと。
【０１５８】
いくつかの実施形態では、受信器の設定の前記変更は、１つ以上のアナログ回路の前に、例えば図５の低電力増幅器５０２の前に、ＲＦ信号から送信器の漏れを取り除くように構成されるアナログ前置補償回路を起動することを含む。
【０１５９】
いくつかの実施形態では、少なくとも１つのアナログ回路は、例えば上で様々に説明したような、アナログフィルタを含む。これらの実施形態では、アナログ処理の忠実性のレベルを調整する動作は、（１）アナログフィルタのポールの数を調整することと、（２）アナログフィルタのダイナミックレンジを調整することと、（３）アナログフィルタのクリッピング又は圧縮の範囲を調整することと、（４）より低い供給電力でアナログフィルタを動作させることと、（５）アナログフィルタの通過帯域の帯域幅を調整することと、（６）アナログフィルタの伝達関数（又は通過帯域）の中心周波数を調整することと、のうちの１つ以上を含みうる。
【０１６０】
いくつかの実施形態では、少なくとも１つのアナログ回路は、アナログフィルタを含む。これらの実施形態では、解析動作９２５は、ＲＦ信号の無線スペクトルを解析することを含みうる。アナログ処理の忠実性のレベルを調整する動作は、例えば（ａ）その無線スペクトルの当該解析の結果と（ｂ）受信器が満たすべき信号処理の忠実性の判定されたレベルとに基づいて、アナログフィルタの線形性の範囲を動的に調整することを含みうる。
【０１６１】
いくつかの実施形態では、解析動作９２５は、ＲＦ信号における干渉電力とＲＦ信号における受信信号の帯域幅との少なくともいずれかを判定する。受信器の設定の変更動作は、（ａ）判定された干渉電力と、（ｂ）判定された帯域幅と、（ｃ）受信器が満たすべき信号処理の忠実性の判定されたレベルと、のうちの１つ以上に基づきうる。
【０１６２】
いくつかの実施形態では、受信器の設定の変更動作は、受信器のＡＤＣ回路の１つ以上の性能パラメータを調整することを含みうる。例えば、変更は、ＡＤＣのクロック周波数、ＡＤＣのΣ−Δ変調器の次数、ＡＤＣに入力するＡＤＣフラッシュビット数、又は上述のものの任意の組み合わせを調整することを含みうる。別の例では、ＡＤＣの量子化雑音の伝達関数は、下りリンクチャネル内で受信器に割り当てられた周波数の間隔において又はその付近でゼロを有するように構成されうる。
【０１６３】
いくつかの実施形態では、解析動作９２５は、以下のうちの１つ以上を含む：
（ａ）ＲＦ信号の帯域内（ＩＢ）スペクトルの電力と帯域外（ＯＯＢ）スペクトルの電力とを判定すること、
（ｂ）受信器における送信の漏れの電力を判定すること、
（ｃ）ＲＦ信号において、ＲＦ信号の遠隔の送信器によってそのＲＦ信号に埋め込まれたものであると共に、信号処理の忠実性のレベルを示す、符号化されたメッセージを復元すること、
（ｄ）ＲＦ信号の一部から現在の変調及び符号化方式（ＭＣＳ）又は変調次数のインジケータを再現すること、
（ｅ）ＵＥの下りリンクの割り当てに隣接するチャネル（又はチャネルの部分）の電力を測定すること、
（ｆ）ＲＦ信号において受信器に割り当てられたリソースブロックの数又は帯域幅を判定すること、
（ｇ）ＲＦ信号におけるブロッカーの電力レベルを判定すること、
（ｈ）ＲＦ信号の周波数帯域の受信器に割り当てられたリソースブロックの位置を判定すること、
（ｉ）ＲＦ信号は複数の受信器アンテナにそれぞれ対応する複数の信号要素を含んだベクトル信号であって、そのＲＦ信号において運ばれる空間ストリームの数を判定すること、
（ｊ）ＲＦ信号に対する現在の変調方式及び現在の空間ストリームの数に基づいて、動作中のＳＮＲを判定すること。
【０１６４】
いくつかの実施形態では、変更動作９３０は、受信干渉のレベルが増えたと判定したことに応じて、アナログ除去回路を起動することを含み、アナログ除去回路は、少なくとも１つのアナログ回路の非線形性により生じる歪みを等化する。
【０１６５】
一連の実施形態において、無線送信器を動作させる方法１０００は、図１０に示す動作を含みうる（本方法１０００は、上述の特徴、要素及び実施形態の任意のサブセットを含みうる。）。無線送信器は、例えば上で様々に説明したように、ＵＥ機器の一部でありうる。
【０１６６】
１０１０において、ＵＥ機器は、デジタル−アナログ変換（ＤＡＣ）回路を用いて、デジタル信号をアナログ中間信号へ変換しうる。デジタル信号は、複素値の系列でありうる。したがって、いくつかの実施形態では、ＤＡＣ回路は、少なくとも２つのチャネル、すなわち、デジタル信号の同相成分のための１つのチャネル及びそのデジタル信号の直交成分のための別のチャネルを含みうる。デジタル信号は、基地局へ（又は、基地局を介して通信ネットワーク、例えばＬＴＥネットワークへ）送信されるべき情報を運びうる。いくつかの実施形態では、デジタル信号は、ＯＦＤＭ信号又はシングルキャリアＦＤＭＡ（ＳＣ−ＦＤＭＡ）信号でありうる（ＦＤＭＡは周波数分割多元接続の頭字語である。）。
【０１６７】
１０１５において、ＵＥ機器は、例えば図８に示すような１つ以上のアナログ回路を用いて、アナログ中間信号に基づいてＲＦ信号を生成しうる。本開示の原理は様々な送信器のアーキテクチャのうちの任意のものを用いて実現されることができ、図８のアーキテクチャは限定することを意味するものではないことが理解されるべきである。ＲＦ信号は、１つ以上のアンテナを用いて、伝送媒体上に送信されうる。
【０１６８】
１０２０において、ＵＥ機器（例えばＵＥ機器のデジタル回路）は、送信器が現在満たすべき信号処理の忠実性のレベルに基づいて、送信器の設定を変更しうる。
【０１６９】
送信器の設定の変更は、以下のうちの１つ以上を含みうる。（１）ＵＥ機器は、１つ以上のアナログ回路のうちの少なくとも１つについて、アナログ処理の忠実性のレベルを調整しうる。（２）ＵＥ機器は、１つ以上のデジタル回路が、１つ以上のアナログ回路によって生じることとなる歪みについての前置補正をするように、デジタル信号に作用するように、１つ以上のデジタル回路の設定を変更しうる。デジタル信号への作用動作は、アナログ領域への変換の前に実行される。
【０１７０】
いくつかの実施形態では、信号処理の忠実性のレベルが以下のうちの１つ以上に基づいて判定されうる。
【０１７１】
（Ａ）信号処理の忠実性の要求のレベルは、送信の電力の受信パスへの漏れに基づいて判定されうる（ＵＥ機器は、受信器をも含みうる。「受信パス」は、その受信器の信号処理パスである。）。いくつかの実施形態では、送信の漏れは送信器の低電力増幅器（ＬＮＡ）の前で除去され、したがって、ＬＮＡの歪みの要求を緩和しうる。
【０１７２】
（Ｂ）信号処理の忠実性のレベルは、上述のＲＦ信号のエラーベクトル振幅（ＥＶＭ）（と、ＵＥの受信器によって捕捉されたＲＦ信号のエラーベクトル振幅との少なくともいずれか）に基づいて、判定されうる。ＲＦ信号のＥＶＭは、制御信号を復号することにより、例えばＬＴＥにおける下りリンクサブフレームのＰＤＣＣＨを復号することにより、判定されうる。
【０１７３】
（Ｃ）信号処理の忠実性のレベルは、現在の変調及び符号化方式（ＭＣＳ）又はデジタル信号を生成するのに用いられるべき変調のインジケータに基づいて判定されうる。ＬＴＥなどのいくつかの無線通信標準は、ＭＣＳ（又は変調）が動的に変化することを許容している。ＵＥ機器は、例えば、リンクアダプテーション（ＡＣＫ及びＮＡＣＫ）に基づいて、ＭＣＳを変化させうる。例えば、基地局から受信したＮＡＣＫの数が所与の閾値を超えた場合、ＵＥ機器は、より低次の変調コンスタレーションとデジタル信号に含まれる上りリンクデータを符号化するためのより高い符号化率との少なくともいずれかを採用しうる。
【０１７４】
（Ｄ）信号処理の忠実性のレベルは、様々に上述したような複数の取りうるユースケースからの、特定のユースケースの選択のインジケータに基づいて判定されうる。例えば、１つの実施形態において、ユースケースは、
｛ｓｉｎｇｌｅ  ｓｐａｔｉａｌ  ｓｔｒｅａｍ，ＭＣＳ＝ＱＰＳＫ｝、
｛ｍｏｒｅ  ｔｈａｎ  ｏｎｅ  ｓｔｒｅａｍ（ＭＩＭＯ），ＭＣＳ＝６４  ＱＡＭ｝
を含みうる。他の実施形態では、ユースケースの広範なさまざまな数及び定義が予定されている。
【０１７５】
いくつかの実施形態では、アナログ処理の忠実性のレベルを調整する動作は、少なくとも１つのアナログ回路の線形性の範囲を調整することを含みうる。アナログ回路は、１つ以上のアナログ低域通過フィルタ、１つ以上のミキサ、１つ以上の帯域通過フィルタ、１つ以上の駆動回路、ＲＦ電力増幅器、包絡線増幅器、の任意の組み合わせを含みうる。
【０１７６】
いくつかの実施形態では、アナログ処理の忠実性のレベルを調整する動作は、エラーベクトル振幅（ＥＶＭ）における第１の制約と、帯域外（ＯＯＢ）複写における第２の制約との少なくともいずれかを達成するように、実行される。「対域外」は、対象の帯域の外側にある波形のエネルギーを指す。第１の制約及び第２の制約は、変調及び符号化方式（ＭＣＳ）の選択されたレベル（又は次数）に依存しうる。
【０１７７】
いくつかの実施形態では、デジタル信号を変更する動作は、（ａ）１つ以上のアナログ回路によって生じることとなるＩＱミスマッチに対してデジタル信号を前置補正すること、（ｂ）１つ以上のアナログ回路によって生じることとなる位相雑音に対してデジタル信号を前置補正すること、（ｃ）１つ以上のアナログ回路によって（ＵＥ機器の受信器へと）生じることとなる送信器の漏れに対してデジタル信号を前置補正すること、（ｄ）１つ以上のアナログ回路によって生じることとなる送信器の非線形歪みに対してデジタル信号を前置補正すること、のうちの１つ以上を含みうる（用語「前置補正」は、信号処理の流れにおける後段によって生じることとなる歪み又は劣化に対して、その後段の出力が、その後段が理想的に振る舞った場合に生成されたであろう信号を近似するように、信号を補正する動作を指す。）。
【０１７８】
いくつかの実施形態では、少なくとも１つのアナログ回路は、アナログフィルタを含む。これらの実施形態では、アナログ処理の忠実性のレベルを調整する動作は、（ａ）アナログフィルタのポールの数を調整することと、（ｂ）アナログフィルタのダイナミックレンジを調整することと、（ｃ）アナログフィルタのクリッピング又は圧縮の範囲を調整することと、（ｄ）より低い供給電力でアナログフィルタを動作させることと、（ｅ）アナログフィルタの通過帯域の帯域幅を調整することと、（ｆ）アナログフィルタの伝達関数の中心周波数を調整することと、の１つ以上を含みうる。帯域幅と通過帯域の中心周波数との少なくともいずれかは、上りリンク伝送のために（基地局によって）ＵＥ機器に割り当てられたリソースブロックの数と位置との少なくともいずれかにそれぞれ基づいて、調整されうる。
【０１７９】
いくつかの実施形態では、判定されたレベルに基づいて、送信器の設定を変更する動作は、ＤＡＣ回路の１つ以上の性能パラメータを調整することを含む。例えば、その変更は、ＤＡＣ回路のクロック周波数、ＤＡＣ回路のΣ−Δ変調器の次数、及びＤＡＣ回路に入力するＤＡＣフラッシュビットの数のうち、１つ以上を調整することを含みうる。別の例として、ＤＡＣ回路の量子化雑音の伝達関数は、上りリンク伝送のためにＵＥ機器に割り当てられた周波数間隔において又はその付近でゼロを有するように構成されうる。
【０１８０】
本開示の実施形態は、様々な形式のいずれかにおいて実現されうる。例えば、いくつかの実施形態は、コンピュータが実行する方法、コンピュータ可読メモリ媒体、又はコンピュータシステムとして実現されうる。他の実施形態は、ＡＳＩＣなどの１つ以上のカスタムデザインされたハードウェア機器を用いて実現されうる。さらに他の実施形態は、ＦＰＧＡなどの１つ以上のプログラム可能なハードウェア要素を用いて実現されうる。
【０１８１】
いくつかの実施形態では、非一時的コンピュータ可読メモリ媒体は、当該媒体がプログラム命令とデータとの少なくともいずれかを記憶し、プログラム命令がコンピュータシステムによって実行される場合に、コンピュータシステムに方法、例えば、ここで説明した方法若しくはここで説明した方法実施形態の任意の組み合わせ、又はここで説明した方法実施形態のいずれかのサブセット若しくはそのようなサブセットの任意の組み合わせを実行させるように、構成されうる。
【０１８２】
いくつかの実施形態では、機器（例えば、ＵＥ１０６）は、プロセッサ（又はプロセッサのセット）とメモリ媒体とを含んで構成されてもよく、メモリ媒体はプログラム命令を記憶し、プロセッサは、そのプログラム命令をメモリ媒体から読み出して実行するように構成され、プログラム命令は、方法、例えば、ここで説明した様々な方法実施形態（若しくはここで説明した方法実施形態の任意の組み合わせ、又はここで説明した方法実施形態のいずれかのサブセット若しくはそのようなサブセットの任意の組み合わせ）を実行するように実行可能である。機器は、様々な形式のうちのいずれかで実現されうる。
【０１８３】
いくつかの実施形態では、集積回路は、デジタル回路とアナログ回路との少なくともいずれかを含むように構成されてもよく、回路は、方法、例えば、ここで説明した様々な方法実施形態（若しくはここで説明した方法実施形態の任意の組み合わせ、又はここで説明した方法実施形態のいずれかのサブセット若しくはそのようなサブセットの任意の組み合わせ）を実行するように構成される。集積回路は、様々な形式のいずれかで実現されうる。
【０１８４】
上述の実施形態は、十分に詳細に説明されているが、上述の開示を十分に理解した当業者には数多くの変形及び変更が明らかとなるだろう。以下の特許請求の範囲は、そのような変形及び変更の全てを包含することが意図されている。
【図１】
0006359498.tif 000019
【図２】
0006359498.tif 000020
【図３】
0006359498.tif 000021
【図４】
0006359498.tif 000022
【図５】
0006359498.tif 000023
【図６】
0006359498.tif 000024
【図７Ａ】
0006359498.tif 000025
【図７Ｂ】
0006359498.tif 000026
【図８】
0006359498.tif 000027
【図９】
0006359498.tif 000028
【図１０】
0006359498.tif 000029